(57)【要約】      （修正有）【課題】通信品質の低下を抑制しつつ基地局の省電力化を実現可能にする。【解決手段】大セル基地局ＭｅＮＢ２００Ａが管理する大セルと、小セル基地局ＰｅＮＢ２００Ｂが管理する小セルとが重複エリアを有し、大セル基地局ＭｅＮＢ２００Ａが、Ｘ２インターフェイスを介して小セル基地局ＰｅＮＢ２００Ｂを管理する構成で、大セル基地局ＭｅＮＢ２００Ａは、小セル基地局ＰｅＮＢ２００Ｂの負荷が閾値よりも小さい場合に、小セル基地局ＰｅＮＢ２００Ｂに対して、消費電力を削減する省電力モードの設定要求を送信し（Ｓ１０２）、小セル基地局ＰｅＮＢ２００Ｂは、小セル内のユーザ端末ＵＥ１００−１、１００−２を、大セルもしくは隣接する小セルにハンドオーバさせた上で（Ｓ１０３，Ｓ１０９）、小電力モードに移行する（Ｓ１１１）。【選択図】図９
2015035688.tif 000002
【特許請求の範囲】
【請求項１】
セルを管理する基地局であって、
消費電力を削減する省電力モードの設定要求を送信する送信部を備え、
前記送信部は、前記セル内に設置され、前記セルよりも小さい小セルを管理する小セル基地局に対して、前記設定要求を送信することを特徴とする基地局。
【請求項２】
前記送信部は、前記基地局の負荷が閾値よりも低い場合に、前記小セル基地局に対して、前記設定要求を送信することを特徴とする請求項１に記載の基地局。
【請求項３】
前記セル内に設置され、前記小セルに隣接し前記セルよりも小さい隣接小セルを管理する隣接小セル基地局から前記隣接小セル基地局の負荷を示す負荷情報を受信する受信部をさらに備え、
前記送信部は、前記負荷情報が示す前記隣接小セル基地局の負荷が閾値よりも低い場合に、前記小セル基地局に対して、前記設定要求を送信することを特徴とする請求項１に記載の基地局。
【請求項４】
前記送信部は、前記セル内に設置され、前記小セルに隣接し前記セルよりも小さい隣接小セルを管理する隣接小セル基地局に対して、前記小セル基地局との接続を確立するユーザ端末が前記隣接小セル基地局へハンドオーバを行うことを許容するか否かの問い合わせを送信し、
前記送信部は、前記問い合わせに対する前記隣接小セル基地局からの回答結果に応じて、前記設定要求を送信することを特徴とする請求項１に記載の基地局。
【請求項５】
前記送信部は、前記問い合わせとともに、前記隣接小セル基地局へハンドオーバを行うと予測されるユーザ端末の数、及び、予測される前記隣接小セル基地局の増加負荷量の少なくとも一方を送信することを特徴とする請求項４に記載の基地局。
【請求項６】
前記送信部は、前記基地局及び前記小セル基地局とユーザ端末とが一対の接続を確立可能である場合、前記小セル基地局に対して、前記設定要求を送信することを特徴とする請求項１に記載の基地局。
【請求項７】
前記省電力モードとして、前記消費電力を削減する方法が異なる複数種類のモードが規定されており、
前記送信部は、前記複数種類のモードから選択された少なくとも１以上のモードを示すモード情報を含む前記設定要求を送信することを特徴とする請求項１に記載の基地局。
【請求項８】
前記送信部は、前記省電力モードとして、前記消費電力が削減された状態でユーザ端末と通信可能なモードを示すモード情報を含む前記設定要求を送信することを特徴とする請求項１に記載の基地局。
【請求項９】
前記送信部は、前記省電力モードの開始及び／又は終了を示す時間情報含む前記設定要求を送信することを特徴とする請求項１に記載の基地局。
【請求項１０】
セルを管理する基地局であって、
前記基地局の消費電力を削減する省電力モードを設定する制御部と、
前記セルよりも大きく、内側に前記基地局が設置された大セルを管理する大セル基地局からの前記省電力モードの設定要求を受信する受信部と、を備え、
前記制御部は、前記設定要求に基づいて、前記省電力モードを設定することを特徴とする基地局。
【請求項１１】
前記省電力モードとして、前記消費電力を削減する方法が異なる複数種類のモードが規定されており、
前記受信部は、前記複数種類のモードから選択された少なくとも１以上のモードを示すモード情報を含む前記設定要求を受信し、
前記制御部は、前記モード情報に応じて、前記省電力モードを設定することを特徴とする請求項１０に記載の基地局。
【請求項１２】
前記制御部は、前記基地局との接続を確立するユーザ端末が前記基地局からのハンドオーバを行うための制御を行い、
前記制御部は、前記ユーザ端末がハンドオーバを行った後に前記省電力モードを設定することを特徴とする請求項１０に記載の基地局。
【請求項１３】
前記省電力モードとして、前記消費電力を削減する方法が異なる複数種類のモードが規定されており、
前記受信部は、前記複数種類のモードから選択された少なくとも１以上のモードを示すモード情報を含む前記設定要求を受信し、
前記制御部は、前記モード情報に応じて、ハンドオーバを行わせるユーザ端末の数を決定することを特徴とする請求項１２に記載の基地局。
【請求項１４】
前記受信部は、前記省電力モードの開始及び／又は終了を示す時間情報含む前記設定要求を受信し、
前記制御部は、前記時間情報に応じて、前記省電力モードを設定することを特徴とする請求項１０に記載の基地局。
【請求項１５】
前記省電力モードを設定した後に、前記省電力モードを設定したことを示す情報を前記大セル基地局に送信する送信部をさらに備えることを特徴とする請求項１０に記載の基地局。
【発明の詳細な説明】
【技術分野】
【０００１】
本発明は、移動通信システムにおいて用いられる基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が導入されている（例えば、非特許文献１参照）。例えば、通信トラフィックの少ない夜間などにおいて、基地局が管理するセルの運用を停止することにより、基地局の消費電力を削減できる。
【先行技術文献】
【非特許文献】
【０００３】
【非特許文献１】３ＧＰＰ技術報告書  「ＴＲ  ３６．９２７  Ｖ１１．０．０」  ２０１２年９月
【発明の概要】
【発明が解決しようとする課題】
【０００４】
しかしながら、基地局が管理するセルの運用を停止させることにより、基地局の消費電力を削減できるものの、当該セルと接続を確立していたユーザ端末が通信不能になる。従って、ネットワーク全体の通信品質の低下を抑制しつつ、基地局の省電力化を実現することが求められている。
【０００５】
そこで、本発明は、通信品質の低下を抑制しつつ基地局の省電力化を実現可能にすることを目的とする。
【課題を解決するための手段】
【０００６】
一実施形態に係る基地局は、セルを管理する基地局である。当該基地局は、消費電力を削減する省電力モードの設定要求を送信する送信部を備える。前記送信部は、前記セル内に設置され、前記セルよりも小さい小セルを管理する小セル基地局に対して、前記設定要求を送信する。
【発明の効果】
【０００７】
本発明に係る基地局によれば、通信品質の低下を抑制しつつ基地局の省電力化を実現可能にする。
【図面の簡単な説明】
【０００８】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、第１実施形態に係る移動通信システムの動作環境を説明するための説明図である。
【図７】図７は、実施形態に係る間欠送信を説明するための図である。
【図８】図８は、実施形態に係る送信アンテナ数削減を説明するための図である。
【図９】図９は、第１実施形態に係る移動通信システムの動作の一例を説明するシーケンス図である。
【図１０】図１０は、第２実施形態に係る移動通信システムの動作環境を説明するための説明図である。
【図１１】図１１は、第２実施形態に係る移動通信システムの動作の一例を説明するシーケンス図である。
【図１２】図１２は、第２実施形態の変更例に係る移動通信システムの動作の一例を説明するシーケンス図である。
【発明を実施するための形態】
【０００９】
本実施形態に係る基地局（ＭｅＮＢ２００Ａ）は、セルを管理する基地局である。当該基地局は、消費電力を削減する省電力モードの設定要求を送信する送信部を備える。前記送信部は、前記セル内に設置され、前記セルよりも小さい小セルを管理する小セル基地局に対して、前記設定要求を送信する。
【００１０】
第１実施形態において、前記送信部は、前記基地局の負荷が閾値よりも低い場合に、前記小セル基地局に対して、前記設定要求を送信する。
【００１１】
第２実施形態に係る基地局は、前記セル内に設置され、前記小セルに隣接し前記セルよりも小さい隣接小セルを管理する隣接小セル基地局から前記隣接小セル基地局の負荷を示す負荷情報を受信する受信部をさらに備える。前記送信部は、前記負荷情報が示す前記隣接小セル基地局の負荷が閾値よりも低い場合に、前記小セル基地局に対して、前記設定要求を送信する。
【００１２】
第２実施形態の変更例において、前記送信部は、前記セル内に設置され、前記小セルに隣接し前記セルよりも小さい隣接小セルを管理する隣接小セル基地局に対して、前記小セル基地局との接続を確立するユーザ端末が前記隣接小セル基地局へハンドオーバを行うことを許容するか否かの問い合わせを送信する。前記送信部は、前記問い合わせに対する前記隣接小セル基地局からの回答結果に応じて、前記設定要求を送信する。
【００１３】
第２実施形態の変更例において、前記送信部は、前記問い合わせとともに、前記隣接小セル基地局へハンドオーバを行うと予測されるユーザ端末の数、及び、予測される前記隣接小セル基地局の増加負荷量の少なくとも一方を送信する。
【００１４】
第１実施形態において、前記送信部は、前記基地局及び前記小セル基地局とユーザ端末とが一対の接続を確立可能である場合、前記小セル基地局に対して、前記設定要求を送信する。
【００１５】
第１実施形態において、前記省電力モードとして、前記消費電力を削減する方法が異なる複数種類のモードが規定されている。前記送信部は、前記複数種類のモードから選択された少なくとも１以上のモードを示すモード情報を含む前記設定要求を送信する。
【００１６】
第１実施形態において、前記送信部は、前記省電力モードとして、前記消費電力が削減された状態でユーザ端末と通信可能なモードを示すモード情報を含む前記設定要求を送信する。
【００１７】
第１実施形態において、前記送信部は、前記省電力モードの開始及び／又は終了を示す時間情報含む前記設定要求を送信する。
【００１８】
第１実施形態に係る基地局（ＰｅＮＢ２００Ｂ）は、セルを管理する基地局である。当該基地局は、前記基地局の消費電力を削減する省電力モードを設定する制御部と、前記セルよりも大きく、内側に前記基地局が設置された大セルを管理する大セル基地局からの前記省電力モードの設定要求を受信する受信部と、を備える。前記制御部は、前記設定要求に基づいて、前記省電力モードを設定する。
【００１９】
第１実施形態において、前記省電力モードとして、前記消費電力を削減する方法が異なる複数種類のモードが規定されている。前記受信部は、前記複数種類のモードから選択された少なくとも１以上のモードを示すモード情報を含む前記設定要求を受信する。前記制御部は、前記モード情報に応じて、前記省電力モードを設定する。
【００２０】
第１実施形態において、前記制御部は、前記基地局との接続を確立するユーザ端末が前記基地局からのハンドオーバを行うための制御を行う。前記制御部は、前記ユーザ端末がハンドオーバを行った後に前記省電力モードを設定する。
【００２１】
第１実施形態において、前記省電力モードとして、前記消費電力を削減する方法が異なる複数種類のモードが規定されている。前記受信部は、前記複数種類のモードから選択された少なくとも１以上のモードを示すモード情報を含む前記設定要求を受信する。前記制御部は、前記モード情報に応じて、ハンドオーバを行わせるユーザ端末の数を決定する。
【００２２】
第１実施形態において、前記受信部は、前記省電力モードの開始及び／又は終了を示す時間情報含む前記設定要求を受信する。前記制御部は、前記時間情報に応じて、前記省電力モードを設定する。
【００２３】
第１実施形態に係る基地局は、前記省電力モードを設定した後に、前記省電力モードを設定したことを示す情報を前記大セル基地局に送信する送信部をさらに備える。
【００２４】
［第１実施形態］
（ＬＴＥシステム）
図１は、本実施形態に係るＬＴＥシステムの構成図である。
【００２５】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２６】
ＵＥ１００は、移動型の無線通信装置であり、接続を確立したセル（サービングセル）との無線通信を行う。ＵＥ１００はユーザ端末に相当する。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２８】
なお、「セル」は、無線通信エリアの最小単位を示す用語として使用される他に、ＵＥ１００との無線通信を行う機能を示す用語としても使用される。
【００２９】
ｅＮＢ２００は、例えば、無線リソース管理（ＲＲＭ）機能と、ユーザデータのルーティング機能と、モビリティ制御及びスケジューリングのための測定制御機能と、を有する。
【００３０】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３１】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３２】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３３】
ＯＡＭ４００は、オペレータによって管理されるサーバ装置であり、Ｅ−ＵＴＲＡＮ１０の保守及び監視を行う。
【００３４】
次に、ＵＥ１００及びｅＮＢ２００の構成を説明する。
【００３５】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３６】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３７】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３９】
ＧＮＳＳ受信機１３０は、ＵＥ１００の地理的な位置を示す位置情報を得るために、ＧＮＳＳ信号を受信して、受信した信号をプロセッサ１６０に出力する。
【００４０】
バッテリ１４０は、ＵＥ１００の各ブロックに供給すべき電力を蓄える。
【００４１】
メモリ１５０は、プロセッサ１６０によって実行されるプログラムと、プロセッサ１６０による処理に使用される情報と、を記憶する。
【００４２】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４３】
図３は、ｅＮＢ２００のブロック図である。図３に示すように、ｅＮＢ２００（後述するＭｅＮＢ２００Ａ、ＰｅＮＢ２００Ｂ及びＰｅＮＢ２００Ｂを含む）は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４４】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４６】
メモリ２３０は、プロセッサ２４０によって実行されるプログラムと、プロセッサ２４０による処理に使用される情報と、を記憶する。
【００４７】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＬＴＥシステムにおける無線インターフェイスのプロトコルスタック図である。
【００４９】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５０】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５１】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５２】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５３】
ＰＤＣＰレイヤは、ヘッダ圧縮・伸張、及び暗号化・復号化を行う。
【００５４】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５５】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５６】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５７】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５８】
ＵＥ１００に割り当てられる無線リソースのうち、周波数リソースはリソースブロックにより特定でき、時間リソースはサブフレーム（又はスロット）により特定できる。
【００５９】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６０】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６１】
（第１実施形態に係る動作）
（１）動作環境
次に、本実施形態に係る移動通信システムの動作環境について、図６を用いて説明する。図６は、第１実施形態に係る移動通信システムの動作環境を説明するための説明図である。
【００６２】
図６に示すように、ＭｅＮＢ２００Ａが管理する大セル内に、ＰｅＮＢ２００Ｂが設置される。ＰｅＮＢ２００Ｂは、大セルよりも小さい小セルを管理する。また、ＰｅＮＢ２００Ｂは、ＵＥ１００−１及びＵＥ１００−２との接続を確立する。なお、本実施形態において、ＵＥ１００−１は、ＵＥ１００−２に比べて、小セルのセル端に位置する。また、ＭｅＮＢ２００ＡとＰｅＮＢ２００Ｂとの間には、Ｘ２インターフェイスが確立されている。
【００６３】
ＭｅＮＢ２００Ａは、ＰｅＮＢ２００Ｂに対して、省電力モードの設定要求を送信する。ＰｅＮＢ２００Ｂは、省電力モードの設定要求に基づいて、省電力モードを設定する。なお、省電力モードについては、以下で説明する。
【００６４】
（２）省電力モード
省電力モードは、消費電力を削減するモードである。本実施形態において、ｅＮＢ２００（ＰｅＮＢ２００Ｂ）の消費電力を削減するモードとして、以下の消費電力を削減する方法が異なる複数種類のモードが規定されている。
【００６５】
省電力モードとしては、「間欠送信（ＤＴＸ：Ｄｉｓｃｏｎｔｉｎｕｏｕｓ  Ｔｒａｎｓｍｉｓｓｉｏｎ）」、「送信アンテナ数削減（ＡＮＴ  ｒｅｄｕｃｅｄ）」、「送信電力削減（ＴｘＰｏｗｅｒ  ｒｅｄｕｃｅｄ）」、「通信容量削減（Ｃａｐａｃｉｔｙ  ｒｅｄｕｃｅｄ）」、「セルの運用停止（Ｄｅａｃｔｉｖａｔｉｏｎ）」などがある。
【００６６】
間欠送信とは、ｅＮＢ２００が無線信号の送信を間欠的に行う省電力モードである。図７は、本実施形態に係る間欠送信を説明するための図である。図７に示すように、ｅＮＢ２００は、セル固有参照信号（ＣＲＳ）を間欠的に送信する。図７の例では、ＣＲＳは５サブフレームに１回の割合で送信されている。ｅＮＢ２００は、ＣＲＳを送信しない期間（サブフレーム）に送信停止区間（ＤＴＸ区間）を設定する。送信停止区間においては、ｅＮＢ２００の無線送受信機２１０（特に、パワーアンプ）への給電を停止できるため、エナジーセービングを実現できる。
【００６７】
送信アンテナ数削減とは、ｅＮＢ２００が無線信号の送信に使用するアンテナ数（以下、「使用アンテナ数」という）を減少させる省電力モードである。図８は、本実施形態に係る送信アンテナ数削減を説明するための図である。図８に示すように、ｅＮＢ２００は、複数のアンテナ２０１のうちの一部のみを使用して無線信号を送信する。使用アンテナ数を減少させることにより、ｅＮＢ２００（特に、無線送受信機２１０）の消費電力が低下するため、エナジーセービングを実現できる。
【００６８】
送信電力削減とは、ｅＮＢ２００が送信電力を低下させつつ、余剰無線リソースを使用して送信データの冗長伝送を行う省電力モードである。送信電力を低下させることにより、ｅＮＢ２００（特に、無線送受信機２１０）の消費電力が低下するため、ｅＮＢ２００のエナジーセービングを実現できる。
【００６９】
通信容量削減とは、ｅＮＢ２００と接続可能なＵＥ数又はｅＮＢ２００が割当可能な無線リソース量を制限する省電力モードである。このような制限を行うことにより、ｅＮＢ２００（特に、プロセッサ２４０）の消費電力が低下するため、ｅＮＢ２００のエナジーセービングを実現できる。
【００７０】
セルの運用停止とは、ｅＮＢ２００が管理するセルの運用を停止する省電力モードである。具体的には、ｅＮＢ２００が無線信号の送信を停止する。セルの運用を停止することにより、ｅＮＢ２００の無線送受信機２１０（特に、パワーアンプ）への給電を停止できるため、エナジーセービングを実現できる。また、ｅＮＢ２００は、無線信号の送信だけでなく、ＵＥ１００からの受信を停止してもよい。
【００７１】
上述の「間欠送信」、「送信アンテナ数削減」、「送信電力削減」及び「通信容量削減」は、消費電力が削減された状態でＵＥ１００と通信可能なモード（適宜「部分的オフ（Ｐａｒｔｉａｌ  ＯＦＦ）モード」と称する）である。
【００７２】
なお、ｅＮＢ２００（ＰｅＮＢ２００Ｂ）は、複数種類のモードから少なくとも１以上のモードを選択し、選択した（複数の）モードを省電力モードとして設定することが可能である。
【００７３】
（３）動作シーケンス
次に、本実施形態に係る動作シーケンスについて、図９を用いて説明する。図９は、第１実施形態に係る移動通信システムの動作の一例を説明するシーケンス図である。
【００７４】
図９に示すように、異なるｅＮＢ２００（ＭｅＮＢ２００Ａ及びＰｅＮＢ２００Ｂ）により管理されるセルの組み合わせである一対のセルとＵＥ１００とが一対の接続を確立する方式である二重接続（Ｄｕａｌ  Ｃｏｎｎｅｃｔｉｖｉｔｙ）方式に用いられる接続を、Ｘｎインターフェイスを介して確立している。また、上述したように、ＰｅＮＢ２００Ｂは、ＵＥ１００−１及びＵＥ１００−２と接続（ＲＲＣ＿ＣＯＮＮＥＣＴＥＤ）を確立している。また、ＰｅＮＢ２００Ｂは、省電力モードを設定しておらず、小セルを運用するためのスイッチがオン状態（Ｓｗｉｔｃｈ  ＯＮ）である。
【００７５】
図９に示すように、ステップＳ１０１において、ＭｅＮＢ２００Ａは、ＰｅＮＢ２００Ｂに省電力モードの設定要求を送信するか否かの判定（ＥＳ  ｄｅｃｉｓｉｏｎ）を行う。本実施形態において、ＭｅＮＢ２００Ａは、ＰｅＮＢ２００Ｂが管理する小セル内に存在する（複数の）ＵＥ１００を受け入れることが可能である場合に、ＰｅＮＢ２００Ｂに省電力モードの設定要求を送信すると判定する。
【００７６】
ＭｅＮＢ２００Ａは、例えば、以下の場合に、ＰｅＮＢ２００Ｂに省電力モードの設定要求を送信すると判定する。
【００７７】
（ａ）ＭｅＮＢ２００Ａの負荷（例えば、バッファ容量、トラフィック値、接続ＵＥ数、無線リソースの使用率など）が閾値よりも低い場合
（ｂ）ＰｅＮＢ２００Ｂに接続するＵＥ１００の数が、ＭｅＮＢ２００Ａが接続を許容するＵＥ１００の数未満である場合
（ｃ）ＰｅＮＢ２００Ｂに接続するＵＥ１００が、ＭｅＮＢ２００Ａに接続した場合に、ＵＥ１００のＱｏＳを満たすことが可能である場合
（ｄ）ＭｅＮＢ２００Ａ及びＰｅＮＢ２００ＢとＵＥ１００とが一対の接続を確立可能である場合（ＭｅＮＢ２００Ａ及びＰｅＮＢ２００Ｂが二重接続を可能な場合）
（ｅ）ＰｅＮＢ２００Ｂの電源供給状況が悪化した場合（例えば、ＰｅＮＢ２００Ｂの電源供給が遮断された場合(バッテリ駆動となった場合)、ＰｅＮＢ２００Ｂのバッテリ残量が規定値を下回った場合、又はＰｅＮＢ２００Ｂの自家発電電力(ソーラー等)の出力電力が規定値を下回った場合）
（ｆ）ＭｅＮＢ２００の上位装置（例えば、ＯＡＭ４００）からの指示
【００７８】
ＭｅＮＢ２００Ａは、上記判定のために用いられる情報（例えば、ＰｅＮＢ２００Ｂに接続するＵＥ１００の数）を、Ｘｎインターフェイスを介して、ＰｅＮＢ２００Ｂに要求してもよい。
【００７９】
なお、ｅＮＢ２００Ａは、上記（ａ）〜（ｅ）の項目のうち、複数の項目を考慮して、ＰｅＮＢ２００Ｂに省電力モードの設定要求を送信すると判定してもよい。
【００８０】
以下において、ＭｅＮＢ２００Ａは、ＰｅＮＢ２００Ｂに省電力モードの設定要求を送信すると判定したと仮定して、説明を進める。
【００８１】
ステップＳ１０２において、ＭｅＮＢ２００Ａは、消費電力を削減する省電力モードの設定要求（Ｃｅｌｌ  Ｄｅａｃｔｉｖａｔｉｏｎ  Ｒｅｑｕｅｓｔ）をＰｅＮＢ２００Ｂに送信する。ＰｅＮＢ２００Ｂは、設定要求を受信する。
【００８２】
設定要求は、複数種類のモードから選択された少なくとも１以上のモードを示すモード情報を含んでもよい。また、設定要求は、消費電力が削減された状態でＵＥ１００と通信可能な省電力モードである部分的オフモードを示すモード情報（Ｔｒａｎｓｉｔｉｏｎ）を含んでも良い。例えば、モード情報は、具体的な省電力モード（又は複数の具体的な省電力モードの組み合わせ）を示す情報であってもよいし、ＰｅＮＢ２００Ｂが任意に選択可能であることを示す情報であってもよい。また、設定要求は、前記モード情報の代わりに、セルの運用停止を示す情報（Ｄｅａｃｔｉｖａｔｉｏｎ）を含んでも良い。
【００８３】
また、設定要求は、省電力モードの開始及び／又は終了を示す時間情報を含んでも良い。時間情報は、サブフレーム番号、システムフレーム番号、時間又は時刻であってもよいし、省電力モードの設定時間を示すタイマ値であってもよい。
【００８４】
また、設定要求は、ＰｅＮＢ２００ＢがハンドオーバさせるＵＥ１００の数を示す情報（例えば、ＭｅＮＢ２００がハンドオーバを許容可能なＵＥ１００の数の上限値、又は、ハンドオーバさせるＵＥ１００の数の指定値）を含んでもよい。
【００８５】
本実施形態において、設定要求は、部分的オフモードを示すモード情報（Ｔｒａｎｓｉｔｉｏｎ）を含むと仮定して、説明を進める。
【００８６】
ステップＳ１０３において、ＭｅＮＢ２００Ａ、ＰｅＮＢ２００Ｂ及びＵＥ１００−１は、ハンドオーバ手続を実行する。ＰｅＮＢ２００Ｂは、モード情報の受信に応じて、省電力モードの設定を行う前に、ハンドオーバ手続を実行する。具体的には、ＰｅＮＢ２００Ｂは、自セルのセル端側に位置するＵＥ１００−１がＰｅＮＢ２００ＢからＭｅＮＢ２００Ａへハンドオーバを行うための制御を行う。なお、ＰｅＮＢ２００Ｂは、ＵＥ１００（ＵＥ１００−１及びＵＥ１００−２）の位置を判断するために測定報告（Ｍｅａｓｕｒｅｍｅｎｔ  Ｒｅｐｏｒｔ）を受信するために、ＵＥ１００に測定を設定（Ｍｅａｓｕｒｅｍｅｎｔ  Ｃｏｎｆｉｇｕｒａｔｉｏｎ）してもよい。
【００８７】
また、ＰｅＮＢ２００Ｂは、設定要求に応じて、ハンドオーバを行わせるＵＥ１００の数を決定してもよい。ＰｅＮＢ２００Ｂは、設定要求にハンドオーバさせるＵＥ１００の数を示す情報が含まれない場合、省電力モードによって削減される消費電力が大きさに応じて、ハンドオーバを行わせるＵＥ１００の数が大きくなるように、ハンドオーバを行わせるＵＥ１００の数を決定してもよい。ＰｅＮＢ２００Ｂは、モード情報がセルの運用停止を示す情報である場合、ハンドオーバを行わせるＵＥ１００の数をＰｅＮＢ２００Ｂに接続する全ＵＥ１００の数と決定してもよい。
【００８８】
ステップＳ１０４において、ハンドオーバ手続の終了によって、ＭｅＮＢ２００ＡとＵＥ１００−１との間に接続（ＲＲＣ＿ＣＯＮＮＥＣＴＥＤ）が確立される。
【００８９】
ステップＳ１０５において、ＰｅＮＢ２００Ｂは、受信した設定要求に基づいて、省電力モードを設定する。具体的には、ＰｅＮＢ２００Ｂは、設定要求に含まれるモード情報に応じて、省電力モード（部分的オフモード：Ｔｒａｎｓｉｔｉｏｎ  ｍｏｄｅ）を設定する。本実施形態において、ＰｅＮＢ２００Ｂは、ＵＥ１００−１がハンドオーバを行った後に、省電力モードを設定する。
【００９０】
ＰｅＮＢ２００Ｂは、設定要求が時間情報を含む場合、時間情報に応じて、省電力モードを設定する。具体的には、時間情報が示す省電力モードの開始時間及び／又は終了時間に合わせて省電力モードが開示及び／又は終了するように設定する。
【００９１】
ステップＳ１０６において、ＰｅＮＢ２００Ｂは、設定要求に対する応答（Ｃｅｌｌ  Ｄｅａｃｔｉｖａｔｉｏｎ  Ｒｅｓｐｏｎｓｅ）をＭｅＮＢ２００Ａに送信する。ＭｅＮＢ２００Ａは、設定要求に対する応答を受信する。
【００９２】
設定要求に対する応答は、省電力モードを設定したことを示す情報を含んでもよいし、部分的オフモードを設定したことを示す情報（Ｔｒａｎｓｉｔｉｏｎ）を含んでもよい。
【００９３】
ステップＳ１０７において、ステップＳ１０１と同様に、ＭｅＮＢ２００Ａは、ＰｅＮＢ２００Ｂに設定要求を送信するか否かの判定を行う。ＭｅＮＢ２００Ａは、ＰｅＮＢ２００Ｂが省電力モードを行うことによって、増加したＭｅＮＢ２００Ａの負荷を考慮して、ＰｅＮＢ２００Ｂに設定要求を送信するか否かの判定を行ってもよい。例えば、ＭｅＮＢ２００Ａは、ＰｅＮＢ２００Ｂが省電力モードを設定する前後におけるＭｅＮＢ２００Ａの負荷の増加率が閾値よりも低い場合、ＰｅＮＢ２００Ｂに設定要求を送信すると判定してもよい。
【００９４】
以下、ＭｅＮＢ２００Ａは、ＰｅＮＢ２００Ｂに省電力モードの設定要求を送信すると判定したと仮定して、説明を進める。
【００９５】
ステップＳ１０８において、ステップＳ１０２と同様に、ＭｅＮＢ２００Ａは、設定要求をＰｅＮＢ２００Ｂに送信する。ＰｅＮＢ２００Ｂは、設定要求を受信する。
【００９６】
本実施形態において、設定要求は、セルの運用停止を示す情報（Ｄｅａｃｔｉｖａｔｉｏｎ）を含む。
【００９７】
ステップＳ１０９において、ステップＳ１０３と同様に、ＭｅＮＢ２００Ａ、ＰｅＮＢ２００Ｂ及びＵＥ１００−２は、ハンドオーバ手続を実行する。本実施形態において、設定要求は、セルの運用停止を示す情報を含むため、ＰｅＮＢ２００Ｂは、ＰｅＮＢ２００Ｂと接続する全ＵＥ１００に対してハンドオーバを行わせると決定する。本実施形態において、ＰｅＮＢ２００Ｂは、ＵＥ１００−２に対してハンドオーバを行わせると決定する。
【００９８】
ステップＳ１１０において、ハンドオーバ手続の終了によって、ＭｅＮＢ２００ＡとＵＥ１００−２との間に接続（ＲＲＣ＿ＣＯＮＮＥＣＴＥＤ）が確立される。
【００９９】
ステップＳ１１１において、ステップＳ１０５と同様に、ＰｅＮＢ２００Ｂは、省電力モードを設定する。本実施形態において、ＰｅＮＢ２００Ｂは、セルの運用を停止する省電力モードを設定する。これにより、小セルを運用するためのスイッチがオフ状態（Ｓｗｉｔｃｈ  ＯＦＦ）である。
【０１００】
ステップＳ１１２において、ステップＳ１０６と同様に、ＰｅＮＢ２００Ｂは、設定要求に対する応答をＭｅＮＢ２００Ａに送信する。ＭｅＮＢ２００Ａは、設定要求に対する応答を受信する。
【０１０１】
本実施形態において、設定要求に対する応答は、セルの運用を停止する省電力モードを設定したことを示す情報（Ｄｅａｃｔｉｖａｔｉｏｎ）を含む。
【０１０２】
（第１実施形態のまとめ）
本実施形態において、ＭｅＮＢ２００Ａ（無線送受信機２１０）は、大セル内に設置され、小セルを管理するＰｅＮＢ２００Ｂに対して、設定要求を送信する。これにより、ＵＥ１００は、ＰｅＮＢ２００Ｂが省電力モードを設定することによって、ＰｅＮＢ２００Ｂとの接続を確立できなくなったとしても、ＭｅＮＢ２００Ａとの接続を確立することによって通信不能となることを抑制できる。また、ＰｅＮＢ２００Ｂが省電力モードを設定するため、ＰｅＮＢ２００Ｂの省電力化を実現可能となる。
【０１０３】
また、本実施形態において、ＭｅＮＢ２００Ａ（無線送受信機２１０）は、ＭｅＮＢ２００Ａの負荷が閾値よりも低い場合に、ＰｅＮＢ２００Ｂに対して、設定要求を送信可能である。これにより、ＭｅＮＢ２００Ａは、ＰｅＮＢ２００ＢからのＵＥ１００を受け入れることが充分可能であるため、ＵＥ１００が通信不能にならず、通信品質の低下を抑制できる。
【０１０４】
また、本実施形態において、ＭｅＮＢ２００Ａ（無線送受信機２１０）は、ＭｅＮＢ２００Ａ及びＰｅＮＢ２００ＢとＵＥ１００とが一対の接続を確立可能である場合、ＰｅＮＢ２００Ｂに対して、設定要求を送信可能である。これにより、ＭｅＮＢ２００Ａは、ＰｅＮＢ２００Ｂと接続するＵＥ１００と接続を確立することが可能であるため、当該接続の確立によって、ＵＥ１００が通信不能にならず、通信品質の低下を抑制できる。
【０１０５】
また、本実施形態において、省電力モードとして、消費電力を削減する方法が異なる複数種類のモードが規定されている。ＭｅＮＢ２００Ａ（無線送受信機２１０）は、複数種類のモードから選択された少なくとも１以上のモードを示すモード情報を含む設定要求を送信可能である。これにより、ＭｅＮＢ２００Ａは、状況に応じた省電力化をＰｅＮＢ２００Ｂに行わせることが可能である。
【０１０６】
また、本実施形態において、ＭｅＮＢ２００Ａ（無線送受信機２１０）は、省電力モードとして、消費電力が削減された状態でＵＥ１００と通信可能なモードを示すモード情報を含む設定要求を送信可能である。これにより、ＰｅＮＢ２００Ｂが小セルの運用を停止しないため、ＰｅＮＢ２００Ｂと接続するＵＥ１００が、通信不能になることを抑制可能である。
【０１０７】
また、本実施形態において、ＭｅＮＢ２００Ａ（無線送受信機２１０）は、省電力モードの開始及び／又は終了を示す時間情報を含む設定要求を送信可能である。これにより、ＭｅＮＢ２００Ａは、ＰｅＮＢ２００Ｂが設定モードを行う時間を制御できる。
【０１０８】
また、本実施形態において、ＰｅＮＢ２００Ｂ（無線送受信機２１０）は、ＭｅＮＢ２００Ａからの省電力モードの設定用を受信する。ＰｅＮＢ２００Ｂ（制御部）は、設定要求に基づいて、省電力モードを設定する。これにより、ＰｅＮＢ２００Ｂが省電力モードを設定しても、ＭｅＮＢ２００Ａが、ＰｅＮＢ２００Ｂと接続するＵＥ１００と接続可能であるため、ＵＥ１００の通信品質の低下を抑制できる。
【０１０９】
また、本実施形態において、ＰｅＮＢ２００Ｂ（無線送受信機２１０）は、複数種類のモードから選択された少なくとも１以上のモードを示すモード情報を含む設定要求を受信可能である。ＰｅＮＢ２００Ｂ（制御部）は、モード情報に応じて、省電力モードを設定可能である。これにより、ＰｅＮＢ２００Ｂは、状況に応じた省電力化を図ることができる。
【０１１０】
また、本実施形態において、ＰｅＮＢ２００Ｂ（制御部）は、ＵＥ１００がＰｅＮＢ２００ＢからＭｅＮＢ２００Ａへのハンドオーバを行うための制御を行うことが可能である。ＰｅＮＢ２００Ｂ（制御部）は、ＵＥ１００がハンドオーバを行った後に、省電力モードを設定可能である。これにより、ＵＥ１００は、シームレスな通信が可能であり、通信品質の低下を抑制できる。
【０１１１】
また、本実施形態において、ＰｅＮＢ２００Ｂ（制御部）は、複数種類のモードから選択された少なくとも１以上のモードを示すモード情報を含む設定要求を受信可能である。ＰｅＮＢ２００Ｂ（制御部）は、モード情報に応じて、ハンドオーバを行わせるＵＥ１００の数を決定可能である。これにより、ＭｅＮＢ２００Ａの負荷が大幅に増加することを抑制できる。
【０１１２】
また、本実施形態において、ＰｅＮＢ２００Ｂ（無線送受信機２１０）は、省電力モードの開始及び／又は終了を示す時間情報を含む設定要求を受信可能である。ＰｅＮＢ２００Ｂ（制御部）は、時間情報に応じて、省電力モードを設定可能である。これにより、ＭｅＮＢ２００Ａは、ＰｅＮＢ２００Ｂが設定モードを行う時間を制御できる。
【０１１３】
また、本実施形態において、ＰｅＮＢ２００Ｂ（無線送受信機２１０）は、省電力モードを設定したことを示す情報をＭｅＮＢ２００Ａに送信可能である。これにより、ＭｅＮＢ２００Ａは、ＰｅＮＢ２００Ｂが省電力モードを設定したことを確認できる。
【０１１４】
［第２実施形態］
次に、第２実施形態に係る移動通信システムについて、説明する。なお、上述した実施形態と異なる部分を中心に説明し、同様の部分は、説明を適宜省略する。
【０１１５】
上述した実施形態では、ＭｅＮＢ２００Ａは、ＰｅＮＢ２００Ｂに隣接するｅＮＢ２００を考慮しなかったが、本実施形態では、ＭｅＮＢ２００Ａは、ＰｅＮＢ２００Ｂに隣接するｅＮＢ２００を考慮して、ＰｅＮＢ２００Ｂに設定要求を送信する。
【０１１６】
（第２実施形態に係る動作）
（１）動作環境
本実施形態に係る移動通信システムの動作環境について、図１０を用いて説明する。図１０は、第２実施形態に係る移動通信システムの動作環境を説明するための説明図である。
【０１１７】
図１０に示すように、ＭｅＮＢ２００Ａが管理する大セル内に、ＰｅＮＢ２００Ｂ及びＰｅＮＢ２００Ｃが設置される。ＰｅＮＢ２００Ｂ及びＰｅＮＢ２００Ｃのそれぞれは、大セルよりも小さい小セルを管理する。また、ＰｅＮＢ２００Ｂは、ＵＥ１００との接続を確立する。ＵＥ１００は、ＰｅＮＢ２００Ｂの小セル及びＰｅＮＢ２００Ｃの小セルの両方のセル端に位置する。また、ＭｅＮＢ２００ＡとＰｅＮＢ２００Ｂとの間、ＭｅＮＢ２００ＡとＰｅＮＢ２００Ｃとの間、及び、ＰｅＮＢ２００ＢとＰｅＮＢ２００Ｃとの間には、Ｘ２インターフェイスが確立されている。
【０１１８】
ＭｅＮＢ２００Ａは、ＰｅＮＢ２００Ｃを考慮して、ＰｅＮＢ２００Ｂに対して、省電力モードの設定要求を送信する。
【０１１９】
（２）動作シーケンス
次に、本実施形態に係る動作シーケンスについて、図１１を用いて説明する。図１１は、第２実施形態に係る移動通信システムの動作の一例を説明するシーケンス図である。
【０１２０】
第１実施形態と同様に、ＰｅＮＢ２００Ｂは、ＵＥ１００−１及びＵＥ１００−２と接続（ＲＲＣ＿ＣＯＮＮＥＣＴＥＤ）を確立している。また、ＰｅＮＢ２００Ｂは、省電力モードを設定しておらず、小セルを運用するためのスイッチがオン状態（Ｓｗｉｔｃｈ  ＯＮ）である。
【０１２１】
図１１に示すように、ステップＳ２０１において、ＰｅＮＢ２００Ｃは、ＭｅＮＢ２００ＡにＰｅＮＢ２００Ｃの負荷を示す負荷情報（例えば、ＲＥＳＯＵＲＣＥ  ＳＴＡＴＵＳ  ＲＥＳＰＯＮＳＥ）を送信する。ＰｅＮＢ２００Ｃは、Ｘ２インターフェイスを介して負荷情報を送信してもよい。なお、ＰｅＮＢ２００Ｃは、ＭｅＮＢ２００Ａからの要求（例えば、ＲＥＳＯＵＲＣＥ  ＳＴＡＴＵＳ  ＲＥＱＵＥＳＴ）に応じて、負荷情報を送信してもよいし、周期的に負荷情報を送信してもよいし、ＰｅＮＢ２００Ｃの負荷が閾値よりも低い場合に、負荷情報を送信してもよい。ＰｅＮＢ２００Ｃは、ＰｅＮＢ２００Ｃの負荷が閾値よりも高い場合に、負荷情報を送信してもよい。
【０１２２】
負荷情報は、例えば、ＰｅＮＢ２００Ｃのバッファ容量又はトラフィック値を示す情報である。
【０１２３】
ステップＳ２０２において、ステップＳ１０１と同様に、ＭｅＮＢ２００Ａは、ＰｅＮＢ２００Ｂに省電力モードの設定要求を送信するか否かの判定を行う。
【０１２４】
本実施形態において、ＭｅＮＢ２００Ａは、ＰｅＮＢ２００Ｃの負荷が閾値よりも低い場合に、ＰｅＮＢ２００Ｂに対して、設定要求を送信すると判定する。
【０１２５】
なお、ＭｅＮＢ２００Ａは、ＰｅＮＢ２００Ｃからの負荷情報の受信をトリガとして、設定要求を送信するか否かの判定を行ってもよい。
【０１２６】
以下において、ＭｅＮＢ２００Ａは、ＰｅＮＢ２００Ｂに、セルの運用停止を示す情報（Ｄｅａｃｔｉｖａｔｉｏｎ）を含む設定要求を送信すると判定したと仮定して、説明を進める。
【０１２７】
ステップＳ２０３は、ステップＳ１０８に対応する。なお、ＭｅＮＢ２００Ａは、ＰｅＮＢ２００Ｃへハンドオーバ要求を送信する指示を含む設定要求を送信してもよい。
【０１２８】
ステップＳ２０４において、ステップＳ１０３と同様に、ＰｅＮＢ２００Ｂ、ＰｅＮＢ２００Ｃ及びＵＥ１００は、ハンドオーバ手続を実行する。
【０１２９】
ステップＳ２０５において、ハンドオーバ手続の終了によって、ＰｅＮＢ２００ＣとＵＥ１００との間に接続（ＲＲＣ＿ＣＯＮＮＥＣＴＥＤ）が確立される。
【０１３０】
ステップＳ２０６及びＳ２０７は、ステップＳ１１１及びＳ１１２に対応する。
【０１３１】
（第２実施形態の変更例に係る動作）
次に、第２実施形態の変更例に係る動作について、図１２を用いて説明する。図１２は、第２実施形態の変更例に係る移動通信システムの動作の一例を説明するシーケンス図である。
【０１３２】
上述した第１及び第２実施形態と異なる部分を中心に説明し、同様の部分は、説明を適宜省略する。
【０１３３】
上述した第２実施形態では、ＭｅＮＢ２００Ａは、ＰｅＮＢ２００Ｂに隣接するＰｅＮＢ２００Ｃの負荷情報に基づいて、ＰｅＮＢ２００Ｂに対して、設定要求を送信するか否かの判定を行った。本実施形態において、ＭｅＮＢ２００Ａが設定要求を送信するか否かの判定のために、ＰｅＮＢ２００Ｂに対して、問い合わせを送信する。
【０１３４】
ステップＳ３０１において、ＭｅＮＢ２００Ａは、ＰｅＮＢ２００Ｂとの接続を確立するＵＥ１００がＰｅＮＢ２００Ｃへハンドオーバを行うことを許容するか否かの問い合わせ（Ｉｎｑｕｉｒｙ  ｍｅｓｓａｇｅ）をＰｅＮＢ２００Ｃに送信する。
【０１３５】
ＭｅＮＢ２００Ａは、問い合わせとともに、ＰｅＮＢ２００Ｃへハンドオーバを行うと予測されるＵＥ１００の数、及び予測されるＰｅＮＢ２００Ｃの増加負荷量の少なくとも一方をＰｅＮＢ２００Ｃに送信してもよい。
【０１３６】
ＭｅＮＢ２００Ａは、ＵＥ１００の位置情報に応じて、ＰｅＮＢ２００Ｃへハンドオーバを行うと予測されるＵＥ１００の数を決定してもよい。また、ＭｅＮＢ２００Ａは、ＰｅＮＢ２００Ｂの負荷に基づいて、予測されるＰｅＮＢ２００Ｃの増加負荷量を決定してもよい。
【０１３７】
なお、ＭｅＮＢ２００Ａは、例えば、ＰｅＮＢ２００Ｂから受信したＰｅＮＢ２００Ｂとの接続を確立するＵＥ１００の測定報告（Ｍｅａｓｕｒｅｍｅｎｔ  Ｒｅｐｏｒｔ）に基づいて、問い合わせを行う隣接ｅＮＢ２００を決定してもよい。
【０１３８】
ステップＳ３０２において、ＰｅＮＢ２００Ｃは、ＰｅＮＢ２００Ｂとの接続を確立するＵＥ１００がＰｅＮＢ２００Ｃへハンドオーバを行うことを許容するか否かの判定を行う。ＰｅＮＢ２００Ｃは、自身の負荷が閾値よりも低い場合に、ハンドオーバを行うことを許容すると判定してもよい。また、ＰｅＮＢ２００Ｂは、予測ＵＥ１００数及び予測増加負荷量の少なくとも一方に基づいて、ハンドオーバを行うことを許容するか否かの判定を行ってもよい。
【０１３９】
本実施形態において、ＰｅＮＢ２００Ｃは、ハンドオーバを行うことを許容すると判定したと仮定して説明を進める。
【０１４０】
ステップＳ３０３において、ＰｅＮＢ２００Ｃは、問い合わせに対する応答（Ｉｎｑｕｉｒｙ  ｍｅｓｓｅａｇｅ  Ｒｅｓｐｏｎｓｅ）をＭｅＮＢ２００Ａに送信する。ＭｅＮＢ２００Ａは、問い合わせに対する応答を受信する。
【０１４１】
本実施形態において、問い合わせに対する応答は、ハンドオーバを行うことを許容する旨の情報を含む。
【０１４２】
ステップＳ３０４において、ＭｅＮＢ２００Ａは、問い合わせに対するＰｅＮＢ２００Ｃからの回答結果である問い合わせに対する応答に応じて、設定要求を送信するか否かの判定を行う。
【０１４３】
具体的には、ＭｅＮＢ２００Ａは、ＰｅＮＢ２００Ｃがハンドオーバを行うことを許容する場合、設定要求を送信すると判定し、ＰｅＮＢ２００Ｃがハンドオーバを行うことを許容しない場合、設定要求を送信しないと判定する。
【０１４４】
ステップＳ３０５からＳ３０９は、第２実施形態のステップＳ２０３からＳ２０７に対応する。
【０１４５】
（第２実施形態のまとめ）
本実施形態において、ＭｅＮＢ２００Ａ（無線送受信機２１０）は、ＰｅＮＢ２００Ｃの負荷を示す負荷情報を受信可能である。ＭｅＮＢ２００Ａ（無線送受信機２１０）は、ＰｅＮＢ２００Ｃの負荷が閾値よりも低い場合に、ＰｅＮＢ２００Ｂに対して、設定要求を送信可能である。これにより、ＭｅＮＢ２００Ａは、ＰｅＮＢ２００ＢからＰｅＮＢ２００Ｃへハンドオーバを行うＵＥ１００を考慮して、設定要求を送信するか否かの判定を行うことができる。
【０１４６】
また、本実施形態の変更例において、ＭｅＮＢ２００Ａ（無線送受信機２１０）は、ＰｅＮＢ２００Ｃに対して、ＰｅＮＢ２００Ｂとの接続を確立するＵＥ１００がＰｅＮＢ２００Ｃへハンドオーバを行うことを許容するか否かの問い合わせを送信可能である。ＭｅＮＢ２００Ａ（無線送受信機２１０）は、問い合わせに対するＰｅＮＢ２００Ｃからの回答結果に応じて、設定要求を送信可能である。これにより、ＭｅＮＢ２００Ａは、ＰｅＮＢ２００Ｂの状態を考慮して、設定要求を送信するか否かの判定を行うことができる。
【０１４７】
また、本実施形態の変更例において、ＭｅＮＢ２００Ａ（無線送受信機２１０）は、問い合わせとともに、ＰｅＮＢ２００Ｃへハンドオーバを行うと予測されるＵＥ１００の数、及び、予測されるＰｅＮＢ２００Ｃの増加負荷量の少なくとも一方を送信可能である。これにより、ＰｅＮＢ２００Ｃは、ＰｅＮＢ２００Ｂの状況に応じて、ハンドオーバを行うことを許容するか否かを適切に判定することができる。
【０１４８】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４９】
例えば、上述した実施形態では、ＭｅＮＢ２００Ａが、設定要求を送信するか否かの判定を行っていたが、ネットワーク装置（ＭｅＮＢ２００Ａの上位装置（例えば、ＭＭＥ）、判定サーバなど）が当該判定を行ってもよい。
【０１５０】
また、上述した第１実施形態と第２実施形態とは、適宜組み合わされて実施されてもよい。例えば、ＭｅＮＢ２００Ａは、ＭｅＮＢ２００Ａの負荷及びＰｅＮＢ２００Ｃの負荷に基づいて、設定要求を送信するか否かの判定を行ってもよい。
【０１５１】
また、上述した実施形態では、本発明をＬＴＥシステムに適用する一例を説明したが、ＬＴＥシステムに限定されるものではなく、ＬＴＥシステム以外のシステムに本発明を適用してもよい。
【符号の説明】
【０１５２】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２００Ａ…ＭｅＮＢ、  ２００Ｂ，２００Ｃ…ＰｅＮＢ、  ２０１…アンテナ、  ２１０…無線送受信機、  ２２０…ネットワークインターフェイス、  ２３０…メモリ、  ２４０，２４０’…プロセッサ、  ３００…ＭＭＥ／Ｓ−ＧＷ、  ４００…ＯＡＭ
【図１】
2015035688.tif 000003
【図２】
2015035688.tif 000004
【図３】
2015035688.tif 000005
【図４】
2015035688.tif 000006
【図５】
2015035688.tif 000007
【図６】
2015035688.tif 000008
【図７】
2015035688.tif 000009
【図８】
2015035688.tif 000010
【図９】
2015035688.tif 000011
【図１０】
2015035688.tif 000012
【図１１】
2015035688.tif 000013
【図１２】
2015035688.tif 000014